(57)【要約】  電気手術発生器の起動時に自己検証システム試験を実行するためのシステム及び方法を説明する。システム及び方法は、正確なＲＦエネルギ発生、測定、較正、及び自己試験システムを有する発生器を提供することによって手術結果を高めることを可能にする。これは、接続された電気手術器具のいずれかの使用又は電気手術器具を通した組織又は血管へのいずれかのＲＦエネルギの供給の前に潜在的な発生器問題を迅速に識別することを可能にする発生器の電源始動時の自動化された自己検証処理の実施を通して達成される。これに加えて、１又は２以上の内部インピーダンス負荷が、電気手術発生器内に統合される。複数の構成を有する内部インピーダンス負荷は、発生器の電圧、電流、電力、及び／又は位相測定値を検証するのに利用される。自己検証処理及びその関連のハードウエアリソースを電気手術発生器内に組み込む又は統合することにより、術前手順の結果の多くの改善を達成することができる。【選択図】      図８
2022500104.tif 000002
【特許請求の範囲】
【請求項１】
外科手順を実行するための電気手術システムであって、
発生器の起動時に自己検証システム試験を実行するようになった電気手術発生器、
を含み、
前記発生器は、
予め決められた期間が前記発生器の始動後に経過したと決定した後に自己検証システム試験を開始させ、
前記発生器の障害が検出されない場合に、接続された電気手術ハンドデバイスにＲＦエネルギを供給させ、かつ
前記発生器の前記障害が検出され、かつ障害閾値が到達された場合にシステムエラーを発生させる、
ように構成されたプロセッサと、
前記自己検証システム試験を実行するように構成された複数のインピーダンス負荷と、
を含む、
ことを特徴とする電気手術システム。
【請求項２】
前記プロセッサは、前記発生器の前記障害が検出され、かつ前記障害閾値が到達されていない場合に該発生器を再始動して前記自己検証システム試験を再開させるように更に構成されることを特徴とする請求項１に記載の電気手術システム。
【請求項３】
前記障害閾値は、前記自己検証システム試験が前記発生器の前記障害を検出するいくつかの継続時間を含むことを特徴とする請求項１に記載の電気手術システム。
【請求項４】
前記発生器の起動時に、前記プロセッサは、前回の自己検証システム試験の不合格が発生したか否かを決定するように構成されることを特徴とする請求項１に記載の電気手術システム。
【請求項５】
前記前回の自己検証システム試験の前記不合格が検出された場合に、前記プロセッサは、前記発生器にクールダウン期間にわたって待機させることを特徴とする請求項４に記載の電気手術システム。
【請求項６】
前記前回の自己検証システム試験の前記不合格が検出されない場合に、前記プロセッサは、前記発生器の始動後にかつ前記自己検証システム試験の開始前に電源投入閾値時間が経過したか否かを更に決定することを特徴とする請求項４に記載の電気手術システム。
【請求項７】
前記自己検証システム試験は、複数のＲＦ調整モード及び複数のＲＦ分解能設定値にわたって前記発生器のＲＦ出力を検証する検証アルゴリズムを含むことを特徴とする請求項１に記載の電気手術システム。
【請求項８】
前記複数のＲＦ調整モードは、電圧、電流、電力、及び／又は位相調整モードのうちの１つを含むことを特徴とする請求項７に記載の電気手術システム。
【請求項９】
前記複数のＲＦ分解能設定値は、低、中、又は高電圧設定値のうちの１つを含むことを特徴とする請求項７に記載の電気手術システム。
【請求項１０】
前記プロセッサは、前記複数のＲＦ調整モード及びＲＦ分解能設定値の各々に対して前記発生器の前記ＲＦ出力を予め決められた設定値に調整するように更に構成されることを特徴とする請求項７に記載の電気手術システム。
【請求項１１】
前記発生器は、複数のチャネルにわたってＲＦ出力の電気的性質を測定するように構成されたフィードバックシステムを更に含むことを特徴とする請求項１に記載の電気手術システム。
【請求項１２】
前記プロセッサは、前記フィードバックシステムチャネルの全ての測定値が互いに適合しており、及び／又は前記複数のＲＦ調整モード及びＲＦ分解能設定値にわたってある一定の公差内である場合に、前記接続された電気手術ハンドデバイスにＲＦエネルギを供給することを可能にすることを特徴とする請求項１１に記載の電気手術システム。
【請求項１３】
前記フィードバックシステムは、アナログ入力、デジタル処理、及びデジタル出力から構成されることを特徴とする請求項１１に記載の電気手術システム。
【請求項１４】
前記複数のインピーダンス負荷は、前記発生器の内部である又はその中に統合され、
前記複数のインピーダンス負荷の特定の構成が、複数の内部リレーを使用して取得可能である、
ことを特徴とする請求項１に記載の電気手術システム。
【請求項１５】
外科手順を実行する前に電気手術発生器の自動検証及び自己検証システムを実行する方法であって、
前記発生器の起動時に予め決められた期間が経過したと決定した後に自己検証システム試験を開始する段階と、
前記自己検証システム試験を開始した後にＲＦ調整モード及びＲＦ分解能設定値を設定する段階と、
ＲＦエネルギを発生させてＲＦ出力を前記発生器内の複数のインピーダンス負荷に向ける段階と、
前記ＲＦ出力の電気特性を測定して該測定データを解析する段階と、
前記自己検証システム試験が完了したか否かを決定する段階と、
前記自己検証システム試験の完了時に自己検証システム試験完了タイムスタンプを記録する段階と、
を含むことを特徴とする方法。
【請求項１６】
前記自己検証システム試験の完了が決定されるまで前記設定する段階、発生させる段階、測定する段階、及び解析する段階を繰り返す段階を更に含むことを特徴とする請求項１５に記載の方法。
【請求項１７】
発生器障害が検出されない場合に、接続された電気手術ハンドデバイスへのＲＦエネルギの供給を開始する段階を更に含むことを特徴とする請求項１５に記載の方法。
【請求項１８】
発生器障害が検出され、かつ障害閾値が到達された場合にシステムエラーを発生させる段階を更に含むことを特徴とする請求項１５に記載の方法。
【請求項１９】
前記障害閾値は、前記自己検証システム試験がいくつかの継続時間にわたって前記発生器障害を検出する時に到達されることを特徴とする請求項１８に記載の方法。
【請求項２０】
前記測定する段階及び前記解析する段階は、それぞれ前記発生器のフィードバックシステム及びマイクロコントローラによって実行されることを特徴とする請求項１５に記載の方法。
【請求項２１】
前記測定する段階は、前記フィードバックシステムからの複数のチャネルにわたって前記ＲＦ出力の前記電気的性質を測定する段階と、該複数のチャネルに対するその実数及び虚数成分を前記マイクロコントローラに通信する段階とを含むことを特徴とする請求項２０に記載の方法。
【請求項２２】
前記解析する段階は、前記測定データの前記実数及び虚数成分を受信する段階と、電力計算を実行する段階と、発生器障害が存在するか否かを決定するために前記フィードバックシステムチャネルの前記測定値を比較する段階とを含むことを特徴とする請求項２１に記載の方法。
【請求項２３】
前記発生器障害は、前記フィードバックシステムチャネルの測定値が互いに適合していない及び／又は前記複数のＲＦ調整モード及びＲＦ分解能設定値にわたってある一定の公差内にない場合に存在することを特徴とする請求項２２に記載の方法。
【請求項２４】
前記マイクロコントローラは、前記比較結果に基づいてＲＦエネルギの接続された電気手術ハンドデバイスへの供給を開始又は停止することを特徴とする請求項２２に記載の方法。
【請求項２５】
前記測定する段階及び解析する段階から得られた結果を前記発生器のメモリの中に格納する段階を更に含むことを特徴とする請求項１５に記載の方法。
【請求項２６】
前記複数のＲＦ調整モードは、電圧、電流、電力、及び／又は位相調整モードのうちの１つを含むことを特徴とする請求項１５に記載の方法。
【請求項２７】
前記複数のＲＦ分解能設定値は、低、中、高電圧設定値のうちの１つを含むことを特徴とする請求項１５に記載の方法。
【請求項２８】
ＲＦ調整モード及びＲＦ分解能設定値を設定する前記段階は、予め決められたＲＦ調整値を設定する段階と、特定のインピーダンス負荷構成を取得するための適切なリレーを起動する段階とを更に含むことを特徴とする請求項１５に記載の方法。
【請求項２９】
発生器の起動時に自己検証システム試験を実行するようになった電気手術発生器と共に使用するための制御システムであって、
ＲＦエネルギを供給するためのＲＦ増幅器と、
前記供給されたＲＦエネルギの電気的性質を継続的にモニタしてそれに関連するデジタルＲＦ信号を発生させるためのフィードバックシステムと、
前記自己検証システム試験を開始し、かつ該自己検証システム試験の結果に少なくとも部分的に基づいて前記供給されたＲＦエネルギを接続された電気手術ハンドデバイスに供給する及び停止することを可能にするように構成されたマイクロコントローラと、
を含むことを特徴とする制御システム。
【請求項３０】
前記自己検証システム試験は、複数のＲＦ調整モード及び複数のＲＦ分解能設定値にわたって１又は２以上のインピーダンス負荷に向けられた前記供給されたＲＦエネルギを検証する検証アルゴリズムを含むことを特徴とする請求項２９に記載の制御システム。
【請求項３１】
前記複数のＲＦ調整モードは、電圧、電流、電力、及び／又は位相調整モードのうちの１つを含み、
前記複数のＲＦ分解能設定値は、低、中、高電圧設定値のうちの１つを含む、
ことを特徴とする請求項３０に記載の制御システム。
【請求項３２】
前記マイクロプロセッサは、前記ＲＦ増幅器から出力された前記ＲＦエネルギを前記複数のＲＦ調整モード及びＲＦ調整設定値の各々に対して予め決められた設定値に調整するように構成されることを特徴とする請求項３０に記載の制御システム。
【請求項３３】
前記フィードバックシステムは、該フィードバックシステムの主チャネル、冗長チャネル、及び検証チャネルにわたって１又は２以上のインピーダンス負荷に供給されたＲＦエネルギの前記電気的性質を測定し、かつ該測定されたデータを前記マイクロコントローラにデジタル送信するように構成されることを特徴とする請求項２９に記載の制御システム。
【請求項３４】
前記マイクロコントローラは、前記測定されたデータを受信し、それに関連する電力計算を実行し、かつ前記主及び冗長チャネルからの前記結果を前記検証チャネルのものと比較するように構成されることを特徴とする請求項３３に記載の制御システム。
【請求項３５】
前記マイクロコントローラは、前記主及び冗長チャネルに対する前記比較結果が複数のＲＦ調整モード及び複数のＲＦ分解能設定値にわたってある一定の公差内である場合に前記接続された電気手術ハンドデバイスにエネルギを供給することを可能にすることを特徴とする請求項３４に記載の制御システム。
【請求項３６】
前記マイクロコントローラは、前記主及び冗長チャネルの前記比較結果が前記複数のＲＦ調整モード及びＲＦ分解能設定値のうちの一方に対してある一定の公差外である場合に前記接続された電気手術ハンドデバイスへのエネルギを停止することを可能にすることを特徴とする請求項３４に記載の制御システム。
【請求項３７】
前記検証チャネルは、前記主及び冗長チャネルの構成要素と比較してより低いドリフト及びより高い分解能の構成要素を含むことを特徴とする請求項３３に記載の制御システム。
【請求項３８】
前記主及び冗長チャネルは、別々であるが同一の構成要素を有し、
前記主及び冗長チャネルは、別々であるが同一の電路を辿る、
ことを特徴とする請求項３３に記載の制御システム。
【請求項３９】
前記検証チャネルの構成要素が、前記主及び冗長チャネルの構成要素と別々であるが類似であり、
前記検証チャネルは、主及び冗長チャネルのものと比較して別々であるが同一の電路を辿る、
ことを特徴とする請求項３３に記載の制御システム。
【請求項４０】
前記検証チャネル、主チャネル、及び冗長チャネルの構成要素が、同じ回路基板上に組み立てられる又は統合されることを特徴とする請求項３３に記載の制御システム。
【請求項４１】
前記検証チャネルの構成要素が、前記主及び冗長チャネルのものとは別の回路基板上に組み立てられる又は統合されることを特徴とする請求項３３に記載の制御システム。
【請求項４２】
前記１又は２以上のインピーダンス負荷は、前記ＲＦ増幅器の内部である又はその中に統合されることを特徴とする請求項３０に記載の制御システム。
【請求項４３】
前記１又は２以上のインピーダンス負荷は、抵抗性、容量性、誘導性、又はそのいずれかの組合せであり、かつ様々な負荷構成を提供するために直列、並列、又はそのいずれかの構成にあることを特徴とする請求項３０に記載の制御システム。
【請求項４４】
電気手術システムであって、
組織に電気手術ＲＦエネルギを供給するようになった電気手術発生器であって、
様々な負荷構成を提供するために前記発生器内に統合された１又は２以上のインピーダンス負荷、
複数のＲＦ調整モード及び複数のＲＦ分解能設定値にわたって前記発生器の前記ＲＦ出力を予め決められたＲＦ調整値に調整するようにプログラムされたマイクロプロセッサ、及び
複数のチャネルにわたって前記１又は２以上のインピーダンス負荷に供給された前記ＲＦ出力の電気的性質を測定するように構成されたフィードバックシステム、
を含む前記電気手術発生器と、
前記供給された電気手術ＲＦエネルギを組織に印加するようになった少なくとも１つの能動電極を含む電気手術器具と、
を含み、
前記マイクロプロセッサは、前記複数のＲＦ調整モード及びＲＦ分解能設定値の各々に対する前記フィードバックシステムチャネルの１又は２以上の又は全ての測定値を比較し、かつ前記発生器内に障害条件が存在するか否かを決定するように更にプログラムされる、
ことを特徴とする電気手術システム。
【請求項４５】
前記マイクロプロセッサは、更に、前記発生器内に障害条件が存在しない場合に前記電気手術ハンドデバイスへの電気手術ＲＦエネルギの供給を可能にするようになっていることを特徴とする請求項４４に記載の電気手術システム。
【請求項４６】
前記フィードバックシステムチャネルの１又は２以上の又は全ての測定値が互いに適合している及び／又は前記複数のＲＦ調整モード及びＲＦ分解能設定値の各々に対してある一定の公差内である場合に、障害条件が前記発生器内に存在しないことを特徴とする請求項４５に記載の電気手術システム。
【請求項４７】
前記障害条件は、前記フィードバックシステムチャネルの１又は２以上の又は全ての測定値が互いに適合していない及び／又は前記複数のＲＦ調整モード及びＲＦ分解能設定値のうちの少なくとも１つに対してある一定の公差内ではない場合に前記発生器内に存在することを特徴とする請求項４４に記載の電気手術システム。
【請求項４８】
前記マイクロプロセッサは、更に、前記障害条件が前記発生器内に存在し、かつ障害閾値が到達された場合に前記電気手術ハンドデバイスへの電気手術ＲＦエネルギの供給を停止するようになっていることを特徴とする請求項４４に記載の電気手術システム。
【請求項４９】
前記障害閾値は、前記発生器が再始動された後に前記障害条件がいくつかの継続時間にわたって再検出された時に到達されることを特徴とする請求項４８に記載の電気手術システム。
【請求項５０】
前記マイクロプロセッサは、前記障害閾値が到達されない場合に前記発生器を再始動するように更にプログラムされることを特徴とする請求項４８に記載の電気手術システム。
【請求項５１】
前記複数のＲＦ調整モードは、電圧、電流、電力、及び／又は位相調整モードのうちの１つを含むことを特徴とする請求項４４に記載の電気手術システム。
【請求項５２】
前記複数のＲＦ分解能設定値は、低、中、又は高電圧設定値のうちの１つを含むことを特徴とする請求項４４に記載の電気手術システム。
【請求項５３】
前記マイクロプロセッサは、前記発生器を開始した後にかつ前記複数のＲＦ調整モード及び前記複数のＲＦ分解能設定値にわたって該発生器の前記ＲＦ出力を前記予め決められたＲＦ調整値に調整することを始める前に予め決められた期間にわたって待機するように構成されることを特徴とする請求項４４に記載の電気手術システム。
【請求項５４】
前記複数のＲＦ調整モード及び前記複数のＲＦ分解能設定値の各々に対して、前記マイクロプロセッサは、更に、前記予め決められたＲＦ調整値を設定し、かつ前記１又は２以上のインピーダンス負荷の特定の負荷構成を取得するための適切なリレーを起動するようになっていることを特徴とする請求項４４に記載の電気手術システム。
【請求項５５】
前記フィードバックシステムは、アナログ入力、デジタル処理、及びデジタル出力から構成されることを特徴とする請求項４４に記載の電気手術システム。
【請求項５６】
電気手術発生器であって、
ＲＦエネルギを供給するＲＦ増幅器内に統合された複数のインピーダンス負荷と、
複数のチャネルにわたって前記複数のインピーダンス負荷に向けられたＲＦエネルギの電気的性質を測定するように構成されたフィードバックシステムと、
発生器障害が存在するか否かを決定するために複数のＲＦ調整モード及びＲＦ分解能設定値にわたって発生器の前記ＲＦ出力を検証するために発生器の起動時に自己検証システム試験を開始するように構成された１次マイクロコントローラと、
を含むことを特徴とする電気手術発生器。
【請求項５７】
前記自己検証システム試験中に、前記１次マイクロコントローラは、前記複数のＲＦ調整モード及びＲＦ調整設定値の各々に対して発生器の前記ＲＦ出力を予め決められた設定値に調整するように構成されることを特徴とする請求項５６に記載の電気手術発生器。
【請求項５８】
前記複数のＲＦ調整モードは、電圧、電流、電力、及び／又は位相調整モードのうちの１つを含み、
前記複数のＲＦ分解能設定値は、低、中、又は高電圧設定値のうちの１つを含む、
ことを特徴とする請求項５６に記載の電気手術発生器。
【請求項５９】
前記発生器障害は、前記フィードバックシステムチャネルの１又は２以上の又は全ての測定値が互いに適合していない及び／又は前記複数のＲＦ調整モード及びＲＦ分解能設定値にわたってある一定の公差内ではない場合に存在することを特徴とする請求項５６に記載の電気手術発生器。
【請求項６０】
前記フィードバックシステムは、前記測定されたデータを前記１次マイクロコントローラにデジタル送信するように構成され、
前記フィードバックシステムの前記複数のチャネルは、主チャネル、冗長チャネル、及び検証チャネルを含む、
ことを特徴とする請求項５６に記載の電気手術発生器。
【請求項６１】
前記１次マイクロコントローラは、前記測定されたデータを受信し、それに関連する電力計算を実行し、かつ前記主及び冗長チャネルからの結果を前記検証チャネルのものと比較するように構成されることを特徴とする請求項６０に記載の電気手術発生器。
【請求項６２】
前記自己検証システム試験の完了後に、前記マイクロコントローラは、前記主及び冗長チャネルに対する比較結果が複数のＲＦ調整モード及び複数のＲＦ分解能設定値にわたってある一定の公差内である場合にＲＦエネルギを接続された電気手術ハンドデバイスに供給することを可能にすることを特徴とする請求項６０に記載の電気手術発生器。
【請求項６３】
前記自己検証システム試験の完了後に、前記マイクロコントローラは、前記主及び冗長チャネルに対する比較結果が前記複数のＲＦ調整モード及びＲＦ分解能設定値のうちの１つに対してある一定の公差外である場合に、接続された電気手術ハンドデバイスへのＲＦエネルギを停止することを可能にすることを特徴とする請求項６０に記載の電気手術発生器。
【請求項６４】
前記検証チャネルは、前記主及び冗長チャネルの構成要素と比較してより低いドリフト及びより高い分解能の構成要素を含み、
前記検証チャネルは、前記自己検証システム試験中に専ら使用される、
ことを特徴とする請求項６０に記載の電気手術発生器。
【請求項６５】
前記主及び冗長チャネルは、別々であるが同一の構成要素を有し、
前記主及び冗長チャネルは、別々であるが同一の電路を辿る、
ことを特徴とする請求項６０に記載の電気手術発生器。
【請求項６６】
前記検証チャネルの構成要素が、前記主及び冗長チャネルの構成要素とは別であるが類似であり、
前記検証チャネルは、主チャネル及び冗長チャネルのものと比較して別であるが同一の電路を辿る、
ことを特徴とする請求項６０に記載の電気手術発生器。
【請求項６７】
前記検証チャネル、主チャネル、及び冗長チャネルの構成要素が、同じ回路基板上に組み立てられる又は統合されることを特徴とする請求項６０に記載の電気手術発生器。
【請求項６８】
前記検証チャネルの構成要素が、前記主及び冗長チャネルのものとは別の回路基板上に組み立てられる又は統合されることを特徴とする請求項６０に記載の電気手術発生器。
【請求項６９】
電気手術発生器であって、
発生器内に統合され、かつＲＦエネルギがそれを通して供給される複数の切換可能インピーダンス負荷と、
発生器のＲＦ出力を検証するために前記複数の切換可能インピーダンス負荷のうちの１又は２以上に切り換わるように構成されたマイクロコントローラと、
を含むことを特徴とする電気手術発生器。
【請求項７０】
前記複数の切換可能インピーダンス負荷のうちの前記１又は２以上に向けられた前記ＲＦエネルギの電気的性質を測定するように構成されたフィードバックシステムを更に含むことを特徴とする請求項６９に記載の電気手術発生器。
【請求項７１】
前記フィードバックシステムは、ＲＦエネルギがそれを通して供給される回路を含む複数のチャネルを含むことを特徴とする請求項７０に記載の電気手術発生器。
【請求項７２】
前記複数のチャネルにわたって前記複数の切換可能インピーダンス負荷のうちの前記１又は２以上に向けられた前記ＲＦエネルギの電気的性質を測定するように構成されたフィードバックシステムを更に含むことを特徴とする請求項６９に記載の電気手術発生器。
【請求項７３】
前記ＲＦエネルギを供給するＲＦ増幅器を更に含むことを特徴とする請求項７０又は７２に記載の電気手術発生器。
【請求項７４】
前記複数の切換可能インピーダンス負荷は、前記ＲＦ増幅器内に統合されることを特徴とする請求項７３に記載の電気手術発生器。
【請求項７５】
前記複数の切換可能インピーダンス負荷は、少なくとも１つのリレーと、抵抗器、コンデンサ、又は誘導子のうちの少なくとも１つとを含むことを特徴とする請求項１から７４のいずれか一項に記載の電気手術発生器。
【請求項７６】
前記マイクロコントローラは、ＲＦ調整モードに基づいて前記複数の切換可能インピーダンス負荷のうちの前記１又は２以上に切り換わることを特徴とする請求項１から７５のいずれか一項に記載の電気手術発生器。
【請求項７７】
前記マイクロコントローラは、ＲＦ分解能設定値に基づいて前記複数の切換可能インピーダンス負荷のうちの前記１又は２以上に切り換わることを特徴とする請求項１から７６のいずれか一項に記載の電気手術発生器。
【請求項７８】
前記マイクロコントローラは、自己検証システム試験の起動に基づいて前記複数の切換可能インピーダンス負荷のうちの前記１又は２以上に切り換わるように構成されることを特徴とする請求項１から７７のいずれか一項に記載の電気手術発生器。
【請求項７９】
前記自己検証システム試験の前記起動は、電力が前記マイクロコントローラに供給された時に起動されることを特徴とする請求項７８に記載の電気手術発生器。
【請求項８０】
前記マイクロコントローラは、発生器の起動時に前記複数の切換可能インピーダンス負荷のうちの前記１又は２以上に切り換わるように構成されることを特徴とする請求項１から７９のいずれか一項に記載の電気手術発生器。
【請求項８１】
前記供給されたＲＦエネルギを受け入れて複数の切換可能インピーダンス負荷のうちの前記１又は２以上に供給される該ＲＦエネルギを増幅するように構成された変圧器を更に含むことを特徴とする請求項１から８０のいずれか一項に記載の電気手術発生器。
【請求項８２】
前記変圧器は、前記供給されたＲＦエネルギをＲＦ分解能設定値に基づいて受け入れることを特徴とする請求項８１に記載の電気手術発生器。
【請求項８３】
前記マイクロコントローラは、前記供給されたＲＦエネルギをＲＦ分解能設定値に基づいて受け入れるために前記変圧器に接続することを特徴とする請求項８１に記載の電気手術発生器。
【請求項８４】
前記マイクロコントローラは、前記複数のチャネルの１又は２以上の又は全ての測定値が互いに適合しない及び／又はある一定の公差内ではない場合に発生器障害を検出することを特徴とする請求項７２に記載の電気手術発生器。
【請求項８５】
前記自己検証システム試験中に、前記マイクロコントローラは、発生器の前記ＲＦ出力を複数のＲＦ調整モード及び／又はＲＦ調整設定値の各々に対して予め決められた設定値に調整するように構成されることを特徴とする請求項７８に記載の電気手術発生器。
【請求項８６】
前記複数のＲＦ調整モードは、電圧、電流、電力、及び／又は位相調整モードのうちの１つを含み、
前記複数のＲＦ分解能設定値は、低、中、又は高電圧設定値のうちの１つを含む、
ことを特徴とする請求項８５に記載の電気手術発生器。
【請求項８７】
前記マイクロコントローラは、前記複数のチャネルの１又は２以上の又は全ての測定値が互いに適合しない及び／又は前記複数のＲＦ調整モード及びＲＦ分解能設定値にわたってある一定の公差内ではない場合に発生器障害を検出することを特徴とする請求項８６に記載の電気手術発生器。
【請求項８８】
前記マイクロコントローラは、発生器障害が検出された時に前記ＲＦエネルギの接続された電気手術ハンドデバイスへの供給を防止することを特徴とする請求項８７に記載の電気手術発生器。
【請求項８９】
前記マイクロコントローラは、その後の発生器障害が検出されない時に前記ＲＦエネルギの接続された電気手術ハンドデバイスへの前記供給を許可することを特徴とする請求項８８に記載の電気手術発生器。
【発明の詳細な説明】
【技術分野】
【０００１】
〔関連出願への相互参照〕
この出願は、これにより全ての目的に対してその全体が引用によって明示的に組み込まれる２０１８年９月５日出願の米国仮特許出願第６２／７２７，１７６号及び２０１８年９月５日出願の米国仮特許出願第６２／７２７，１９５号の両方の同時係属出願の利益を主張するものである。
【０００２】
本発明の開示は、一般的に電気手術発生器システム及び方法に関連し、より詳細には無線周波数（ＲＦ）エネルギを供給するように構成された電気手術発生器の出力検証に関する。
【背景技術】
【０００３】
組織を凝固、溶解、又は切断するようなある一定の外科的タスクを実行するために無線周波数（ＲＦ）エネルギを使用する電気手術デバイス又は器具が利用可能になっている。そのような電気手術器具は、典型的に２つの分類、すなわち、単極及び双極に該当する。単極器具では、電気エネルギは、高電流密度で器具上の１又は２以上の電極に供給され、一方で個別の戻り電極が、患者に電気的に結合され、かつ多くの場合に電流密度を最小にするように設計される。別々の戻り電極なしで作動する双極電気手術器具は、低減したリスクで集中組織区域に電気信号を送出することができる。
【発明の概要】
【発明が解決しようとする課題】
【０００４】
双極電気手術器具の比較的集中した手術効果によってさえも、手術結果は、外科医技術に非常に依存することが多い。この依存性を低減するために強化された発生器が作られている。しかし、そのような発生器は、それらが様々な組織タイプ又は結合組織塊に対して組織凝固、溶解、又は切断終点を決定する際に一貫しない結果を与える可能性があるという点で短所を有している。これらのシステムはまた、異なる器具及び電極形状を有して異なる組織タイプ及び組織量に直面する異なる器具の使用の間で一貫した電気手術結果を提供することに失敗する可能性がある。これらの欠点の一部は、そのようなシステムの不正確なＲＦエネルギ発生、測定、較正、及び試験によって悪化する場合がある。利用不能又は信頼できない試験機器及び／又は得られない又は経験不足の職員もこれらの欠点の一因であり、又はこれらの欠点を克服するのに殆ど助けにならない。従って、本発明の実施形態は、従来の電気手術発生器の以上の問題を排除する又は少なくとも軽減することを意図している。
【課題を解決するための手段】
【０００５】
様々な実施形態により、組織を密封、溶解、及び／又は切断するための電気手術システムを提供する。電気手術システムは、電気手術発生器と電気手術器具又はデバイスとを含む。様々な実施形態での電気手術発生器は、ＲＦ増幅器、フィードバックシステム、及び１次コントローラを含むことができる。ＲＦ増幅器は、組織を溶解、密封、及び／又は切断するように構成された取外し可能に結合された電気手術器具を通してＲＦエネルギを供給する。１次コントローラは、ＲＦエネルギの供給を開始及び停止するように配置され、フィードバックシステムは、供給されたＲＦエネルギをモニタするように配置される。ＲＦ出力の電気的性質をモニタする又は検証することにより、本発明の電気手術発生器は、様々な実施形態により、出力されているＲＦエネルギが組織又は血管の外科治療に対して最適であることを保証する。
【０００６】
本発明の一態様により、外科手順を実行するための電気手術システムを提供する。電気手術システムは、発生器及び複数の内部インピーダンス負荷の起動時に自己検証システム試験を実行するようになった電気手術発生器を含むことができる。電気手術発生器は、発生器を始動した後に予め決められた期間が経過したと決定した後に自己検証システム試験を開始することを引き起こすように構成されたプロセッサを含む。発生器の障害が検出されない場合に、プロセッサは、ＲＦエネルギを接続された電気手術ハンドデバイスに供給することを可能にする。発生器の障害がいくつかの継続時間にわたって自己検証システム試験によって検出される場合に、プロセッサは、システムエラーを発生させ、かつ発生器のエラーをユーザ又は外科医に通知する。
【０００７】
本発明の第２の態様により、外科手順を実行する前に電気手術発生器の自動検証及び自己検証システムを実行する方法を提供する。本方法は、発生器の起動時に予め決められた期間が経過したと決定した後に自己検証システム試験を開始する段階と、自己検証システム試験を開始した後にＲＦ調整モード及びＲＦ分解能設定値を設定する段階と、ＲＦエネルギを発生させ、かつＲＦ出力を発生器内の複数のインピーダンス負荷に向ける段階と、自己検証システム試験が完了したか否かを決定する段階と、自己検証システム試験の完了時に自己検証システム試験完了タイムスタンプを記録する段階とを含む。自己検証システム試験完了後に、本方法は、発生器障害が発生したか否かを決定する段階を更に含み、相応に、接続された電気手術器具へのＲＦエネルギの供給を開始又は停止することを可能にする。
【０００８】
本発明の第３の態様により、発生器の起動時に自己検証システム試験を実行するようになった電気手術発生器と共に使用するための制御システムを提供する。制御システムは、ＲＦエネルギを供給するためのＲＦ増幅器と、供給されたＲＦエネルギの電気的性質を継続的にモニタしてそれに関連するデジタルＲＦ信号を発生させるためのフィードバックシステムと、自己検証システム試験を開始し、かつ自己検証システム試験の結果に少なくとも部分的に基づいて接続された電気手術ハンドデバイスにＲＦエネルギを供給する及び供給されるＲＦエネルギを停止することを可能にするように構成された１次マイクロコントローラとを含むことができる。
【０００９】
本発明の第４の態様により、外科手順を実行するための電気手術システムを提供する。電気手術システムは、電気手術ＲＦエネルギを組織に供給するようになった電気手術発生器と、供給された電気手術ＲＦエネルギを組織に印加するようになった少なくとも１つの能動電極を含む電気手術器具とを含むことができる。電気手術発生器は、複数のＲＦ調整モード及び複数のＲＦ分解能設定値にわたって発生器のＲＦ出力を予め決められたＲＦ調整値に調整するようにプログラムされたマイクロプロセッサを含むことができる。電気手術発生器は、複数のチャネルにわたって１又は２以上の内部インピーダンス負荷に供給されたＲＦ出力の電気的性質を測定するように構成されたフィードバックシステムを更に含む。マイクロプロセッサは、複数のＲＦ調整モード及びＲＦ分解能設定値の各々に対するフィードバックシステムチャネルの全ての測定値を比較して障害条件が発生器内に存在するか否かを決定するように更にプログラムされる。
【００１０】
本発明の第５の態様により、電気手術発生器を提供する。電気手術発生器は、ＲＦエネルギを供給するＲＦ増幅器内に統合された複数のインピーダンス負荷と、複数のチャネルにわたって複数のインピーダンス負荷に向けられたＲＦエネルギの電気的性質を測定するフィードバックシステムとを含むことができる。電気手術発生器は、発生器の起動時に自己検証システム試験を開始して発生器障害が存在するか否かを決定するために複数のＲＦ調整モード及びＲＦ分解能設定値にわたって発生器のＲＦ出力を検証するように構成された１次マイクロコントローラを更に含む。
【００１１】
様々な実施形態により、電気手術発生器を提供する。発生器は、発生器内に統合されてＲＦエネルギがそれを通して供給される複数の切換可能インピーダンス負荷と、発生器のＲＦ出力を検証するために複数の切換可能インピーダンス負荷のうちの１又は２以上に切り換わるように構成されたマイクロコントローラとを含む。
【００１２】
本発明の付随する特徴の多くは、それが以上及び以下の説明を参照することによってより良く理解され、かつ添付図面に関連して考察される時により容易に認められるであろう。
【００１３】
本発明の開示を添付の図に関連して説明する。
【図面の簡単な説明】
【００１４】
【図１】本発明の様々な実施形態による電気手術発生器の斜視図である。
【図２】本発明の様々な実施形態による電気手術ハンドデバイスの斜視図である。
【図３】本発明の様々な実施形態による電気手術ハンドデバイスの代替実施形態の斜視図である。
【図４】本発明の様々な実施形態による電気手術発生器のブロック図である。
【図５】電気手術ハンドデバイスに結合された電気手術発生器の制御システムの実施形態のブロック図である。
【図６】電気手術発生器の制御システム内のフィードバックシステムの実施形態のブロック図をより詳細に描く図である。
【図７】自己検証システム試験を実行するために電気手術発生器のＲＦ増幅器内に実施されたハードウエアリソースの一例の概略図である。
【図８】本発明の様々な実施形態による自己検証システム作動又は処理の様々な実施形態の流れ図である。
【図９】本発明の様々な実施形態による自己検証システム作動又は処理の様々な実施形態の流れ図である。
【図１０】電気手術発生器の自己検証システム試験を実行する例示的方法の流れ図である。
【発明を実施するための形態】
【００１５】
添付図面では、類似の構成要素及び／又は特徴が同じ参照ラベルを有する場合がある。参照ラベルが本明細書に使用される時に、その説明は、同じ参照ラベルを有する類似の構成要素のいずれのものにも適用可能である。
【００１６】
以下の説明は、好ましい例示的実施形態のみを提供し、本発明の開示の範囲、適用可能性、又は構成を制限することを意図していない。むしろ、好ましい例示的実施形態の以下の説明は、本発明の開示の好ましい例示的実施形態を実施するための授権説明を当業者に提供するであろう。添付の特許請求の範囲に列挙するような本発明の精神及び範囲から逸脱することなく様々な変更を要素の機能及び構成に行うことができることを理解しなければならない。
【００１７】
本発明の開示は、一般的に電気手術システムに関する。それは、具体的には、発生器の自動検証及び自己検証システム試験を開始するかつ実行することができる新世代の電気手術発生器に関する。
【００１８】
電気手術発生器を維持するために、発生器の出力の検証は、発生器から出力されているＲＦが意図する通りであることを保証するために多くの場合に必要である。この検証は、定期的に、例えば、１２ヵ月又は２年毎に、及び多くの場合にユーザ対話型又は手動システム又は処理によって実行することができる。システム又は処理はまた、発生器への様々な外部デバイスの接続が必要である場合がある。これらの外部デバイスは、検証アダプタ、外部負荷、例えば、電力定格の減少及び電圧定格の増加を伴う１０−５００オーム負荷、及び／又は測定デバイス、例えば、オシロスコープ、差動電圧プローブ、及び電流プローブを含むことができる。
【００１９】
ユーザは、次に、適切なアダプタ、負荷、及び／又は測定デバイスを接続し、発生器、外部デバイス、及び／又は測定デバイス、及びそれへの接続に対する調節を必要とする指定の試験を実行しなければならない。これに加えて、試験結果を適切にモニタするかつ記録することは、エラーを理解すること及び使用から障害発生器を物理的に除去することと共に必要である。同じく、発生器の出力検証を実行するために、発生器は、回路から取り出し、外科手順に使用してはならず、かつ経験、職員、又は機器の欠如のために多くの場合に例えば病院のような手術サイトで実行されてはならない。
【００２０】
本発明の実施形態は、正確なＲＦエネルギ発生、測定、較正、及び／又は自己試験システムを有する発生器を提供することによって手術結果を高めるためのシステム及び方法に関する。様々な実施形態による本発明は、起動時の障害の検出を可能にし、それによってトラブルシューティング及び手術作動時間を短縮し、一方で他の潜在的な手術上の困難を回避する。これは、接続された電気手術器具のいずれかの使用又は電気手術器具を通じた組織又は道管へのいずれかのＲＦエネルギの供給の前に潜在的な発生器問題を迅速に識別することを可能にする電気手術発生器の電源始動時の自動化された自己検証処理の実施を通して達成される。
【００２１】
様々な実施形態による電気手術発生器は、自己検証処理を実行するための１又は２以上の内部インピーダンス負荷を含むことができる。複数の構成を有する内部インピーダンス負荷は、発生器の電圧、電流、電力、及び／又は位相測定を検証するのに利用される。自己検証処理及びその関連のハードウエアリソースを電気手術発生器内に組み込む又は統合することにより、術前手順の結果の多くの改善を達成することができる。一例として、これらの改善は、以下に限定されるものではないが、外部デバイスを発生器に接続することの排除を含み、それによって利用不能又は信頼できない試験機器及び／又は得られない又は経験不足の職員を使用するリスクを除去することができる。これに加えて、発生器の出力検証を実行するために発生器を回路から取り出す必要性が完全に排除される。
【００２２】
以下では、本発明の様々な実施形態による電気手術システム及び方法を詳細に解説し、各節は、電気手術発生器、電気手術器具、及び発生器の自動化された自己検証システム試験を実行するのに使用される制御システム及び方法を個々に説明する。
【００２３】
様々な実施形態により、電気手術エネルギ又は無線周波数（ＲＦ）エネルギの送出を制御し、ＲＦエネルギを調節し、様々な実施形態では組織又は血管の最適密封、溶解、及び／又は切断を保証するために電気的性質、例えば、接続可能な電気手術器具へ供給されたＲＦエネルギの位相、電流、電圧、及び／又は電力を測定及びモニタする電気手術発生器を提供する。様々な実施形態では、発生器は、そのような電気的性質を決定してマイクロコントローラを通して組織／血管を例えば変化する負荷、手順条件、又は作動条件のような動的条件下で密封、溶解、及び／又は切断する最適ＲＦ出力を提供するための所要のＲＦエネルギを発生するＲＦ増幅器を調整かつ制御するフィードバックシステムを含むことができる。
【００２４】
まず図１〜図２を参照すると、本発明の様々な実施形態による電気手術システムの例示的実施形態が示されている。これらの図に示すように、電気手術システムは、電気手術発生器１０、及び取外し可能に接続可能な電気手術ツール又は器具２０を含むことができる。電気手術ハンドデバイス又は電気手術器具２０は、器具２０から発生器１０上のデバイスコネクタ又はアクセスポート１２まで延びるデバイスキー又はコネクタ２１とのケーブル式接続を通して発生器１０に電気的に結合することができる。電気手術器具２０は、例えば、溶解手術の開始及び／又は終了のような器具２０の特定の又は定められたステータスをユーザに通知するため音声インジケータ、触覚インジケータ、及び／又は視覚インジケータを含むことができる。一部の実施形態では、ハンド又はフットスイッチのような手動コントローラは、溶解手術を始めるためのような器具の定められた選択制御を可能にするために発生器１０及び／又は器具２０に接続可能とすることができる。
【００２５】
様々な実施形態により、電気手術発生器１０は、他の情報の中でも、１又は２以上の電気手術器具及び／又は付属品、コネクタ又はその接続部、発生器及び誤差インジケータの状態又は作動の状態を含む電気手術システムのステータスを示すことができるディスプレイ１４を含む。本発明の様々な実施形態による電気手術発生器１０は、例えば、複数のボタン１６のようなユーザインタフェースを含むことができる。複数のボタン１６により、電気手術発生器１０とのユーザ対話が可能である。このユーザ対話は、例えば、電気手術発生器１０に結合された１又は２以上の器具２０に供給された電気エネルギの増加又は低減を要求することを含むことができる。様々な実施形態では、発生器１０は、起動された時に発生器１０に給電して発生器の自己検証システム試験を起動する又は開始するユーザアクセス可能なパワーオンスイッチ又はボタン１８を更に含む。他の実施形態では、ディスプレイ１４は、タッチスクリーンディスプレイとすることができ、その結果、データディスプレイ及びユーザインタフェース機能性が一体化される。
【００２６】
様々な実施形態では、本発明の電気手術発生器１０は、組織又は血管を密封、溶解、及び／又は切断するために接続可能な電気手術器具又はハンドデバイス２０を通る無線周波数（ＲＦ）エネルギを１又は２以上の電極を通して出力するように構成される。電気手術発生器１０は、本発明の実施形態により、３００Ｖ、８Ａ、及び３７５ＶＡまでのＲＦエネルギを発生するように構成され、ＲＦ出力電圧と発生器のＲＦ出力電流の間の位相角又は差をＲＦエネルギの起動又は供給中に決定するようにも構成される。このようにして、電気手術発生器１０は、電圧、電流、及び／又は電力を調整してＲＦエネルギ出力（例えば、電圧、電流、電力、及び／又は位相）をモニタする。一実施形態では、発生器１０は、ＲＦエネルギ出力を予め決められた条件下で停止、終了、又は他の方法で中断することができる。一例として、これらの予め決められた条件は、以下の条件、すなわち、デバイススイッチがアサート停止された（例えば、溶解ボタン解除の）時、時間値が満足された時、及び／又は能動位相角及び／又は能動相変化が組織の溶解又は切断のような手術の終了を示す位相及び／又は相変化停止以上である時のいずれかとすることができる。
【００２７】
電気手術器具２０は、本発明の実施形態により、アクチュエータ２４に結合された又はアクチュエータ２４がそこから延びる近位端、及び顎部２２に結合された又は顎部２２がそこから延びる遠位端を有する細長シャフト２６を含むことができる。長手軸線は、近位端から細長シャフト２６の遠位端に延びる。一実施形態では、アクチュエータ２４は、固定ハンドル又はハウジング２８にピボット可能に結合された可動ハンドル２３を含むことができる。可動ハンドル２３は、中心浮動ピボット又は主浮動ピボットを通して固定ハンドル又はハウジング２８に結合される。作動時に、可動ハンドル２３は、顎部２２を細長シャフト２６の遠位端で作動させるためにユーザ、例えば、外科医によって操作され、その結果、顎部２２は、選択的に開閉される。組織又は血管が顎部２２間に把持された時、スイッチ又はボタン２９は、顎部２２間の組織／血管を密封、溶解、及び／又は切断するために外科医によって起動される。ボタン２９が起動された状態で、関連の回路又は接点は、ＲＦエネルギを顎部２２間に把持された又は他の方法で顎部の１又は２以上の電極と接触する組織に供給するために顎部の適切な電極を発生器１０に関連付けられた接続部に接続するために接続される。
【００２８】
様々な実施形態では、電気手術器具２０は、固定ハンドル又はハウジング２８のブレードレバー又はトリガ２５のようなブレードアクチュエータに結合することができる機械式又は電気式の切断ブレードを更に含む。切断ブレードは、顎部２２間の組織を分割又は切断するためにブレードトリガ２５によって作動される。様々な実施形態では、ブレードスライダは、ブレードトリガ２５に接続され、突出部が、ブレードスライダの近位部分からブレードトリガの一端の開口部の中に延びて構成要素を互いに接続する。ブレードトリガの他端は、ユーザによって露出されてアクセス可能であり、ブレードトリガ２５は、ブレードトリガの中点で又はその近くでトリガピボットの周りにピボット可能である。従って、ブレードトリガ２５が近位にユーザによって引かれる又は回転された状態で、ブレードスライダに接続されたブレードトリガの端部は、ブレードスライダを遠位に摺動する又は移動する。ブレードスライダの遠位端と一体化された又は遠位端に取り付けられているのは、切断ブレード、ナイフ、又は刃先又は刃面である。従って、ブレードスライダが顎部のブレードチャネルを通して長手方向に平行移動すると、顎部２２間に把持された組織は切断される。一実施形態では、刃先又は刃面は、顎部２２の間の組織の切断を容易にするために傾斜している。様々な実施形態では、切断ブレードは、湾曲ブレード、フック、ナイフ、又は顎部２２間の組織を切断するようにサイズ決めされて構成された他の切断要素である。
【００２９】
様々な実施形態により、細長シャフト２６は、顎部２２をアクチュエータと結合する作動チューブ又はロッドを含む。一実施形態では、アクチュエータは、細長シャフト２６の外側カバーチューブ上に配置された回転ノブ２７を含む回転シャフトアセンブリを含む。回転ノブ２７により、外科医は、アクチュエータを把持しながらデバイスのシャフトを回転させることができる。様々な実施形態では、細長シャフト２６は、３６０°回転可能であり、他の実施形態では、細長シャフト２６の回転は、１８０°、すなわち、時計回りに９０°及び反時計回りに９０°に制限される。図３は、電気手術発生器１０に接続可能な電気手術ハンドデバイス２０’の代替実施形態を示している。電気手術ハンドデバイス２０’は、類似のものであるが、異なる特徴を含み、電気手術ハンドデバイス２０と異なる手術用途を有する。
【００３０】
図４を次に参照すると、本発明の実施形態による電気手術発生器１０のブロック図が示されている。この図に示すように、電気手術発生器１０は、電源モジュール、例えば、２つのＤＣ４８Ｖ電源３２、３３に結合された電源投入モジュール３１、例えば、ＡＣ主入力を含むことができる。電源モジュールは、ＡＣ主入力からのＡＣ電圧をＤＣ電圧に変換し、ハウスキーピング電源３４を通して電力を発生器１０の様々な回路に供給し、特に、ＲＦエネルギを発生又は出力するＲＦ増幅器４０に電力を供給する。一実施形態では、ＲＦ増幅器４０は、ＤＣ電圧入力をＲＦ出力に及び別の実施形態では可変振幅３５０ｋＨｚ正弦波に変換する組み合わされたＢｕｃｋ及びＨ−ブリッジ回路を含むことができる。ＤＣ電圧入力は、直列に結合された２つのＤＣ４８Ｖ電源３２、３３によって発生されるＤＣ９６Ｖ入力である。ＤＣ４８Ｖ電源３２、３３の１つは、低電圧レールを発生し、特に、発生器１０の電源を投入するために待機電圧を供給するように構成される。
【００３１】
ＲＦ出力と様々な実施形態でのＲＦ波形出力の振幅とは、電気手術発生器１０内に埋め込まれた又は統合された電気手術制御システム又はデジタル積分サーボ制御システム１００によって制御かつ調整される。図５は、電気手術ハンドデバイス２０に結合された電気手術発生器１０の制御システム１００の実施形態のブロック図をより詳細に示している。図４−５に示すように、制御システム１００は、ＲＦ増幅器４０、１次マイクロコントローラ５０、及びフィードバックシステム６０を含むことができる。制御システム１００は、ＲＦ増幅器４０によって発生されたＲＦ出力の電圧、電流、又は電力を調整することの間で変化する。様々な実施形態では、フィードバックシステム６０はＲＦ出力を測定し、測定データを処理した後に、ＲＦ出力の実数及び虚数成分を１次マイクロコントローラ５０にデジタル給送する。１次マイクロコントローラ５０は、本発明の実施形態により、１次フィールドプログラマブルゲートアレイ（ＦＰＧＡ）及びプロセッサを含むことができる。一例として、マイクロコントローラ５０のプロセッサは、高度縮小命令セットマシン（ＡＲＭ）プロセッサを含むことができる。１次ＦＰＧＡは、フィードバックシステム６０から受信したデータを処理し、かつ望ましい調整ターゲットを満足するようにＲＦ増幅器４０の出力を調節する。様々な実施形態では、フィードバックシステム６０は、アナログ入力、デジタル処理、及びデジタル出力から構成される。
【００３２】
図６を参照すると、電気手術発生器１０の制御システム１００内のフィードバックシステム６０の実施形態のブロック図がより詳細に示されている。この図に示すようにかつ本発明の様々な実施形態により、検証システム６０は、主チャネル６０１及び冗長チャネル６０２を含むことができる。様々な実施形態での主チャネル６０１及び冗長チャネル６０２は、別々であるが同一の構成要素を含むことができる。これに加えて、主チャネル及び冗長チャネル６０１及び６０２は、別々であるが同一の電路を辿り、かつ一実施形態では両方ともＲＦ増幅器４０及びＲＦ出力に接続される。
【００３３】
フィードバックシステム６０は、様々な実施形態では主チャネル６０１及び冗長チャネル６０２とは別々であるが類似である検証チャネル６０３を更に含む。検証チャネル６０３は、他のチャネルとは別々であるが類似である構成要素を含むことができる。一実施形態では、検証チャネル６０３は、主チャネル６０１及び冗長チャネル６０２と同じ構成要素を含むことができるが、検証チャネル６０３での構成要素は、より高い定格値、例えば、より高い解像度又はより低いドリフトを有し、かつ多くの場合により高価である。別の実施形態では、検証チャネル６０３は、主及び冗長チャネル５０１及び６０２と同じ構成要素を含むことができる。しかし、様々な実施形態では、検証チャネル６０３は、自己検証試験システムの作動でのみ又はそれによってのみ使用される。従って、検証チャネル６０３の構成要素は、発生器の作動全体を通して絶えず使用される主及び／又は冗長チャネル６０１及び６０２の構成要素よりもより頻繁に使用されず、従って、より正確に留まり、例えば、より少ないドリフトを有することができる。様々な実施形態では、検証チャネル６０３は、主及び冗長チャネル６０１及び６０２とは別々であるが同一の電路を辿り、かつ一実施形態ではＲＦ増幅器４０及びＲＦ出力に接続される。
【００３４】
様々な実施形態によるチャネル６０１、６０２、及び／又は６０３は、ＲＦ増幅器から供給されたＲＦエネルギをマイクロコントローラに及び／又はマイクロコントローラによって誘導されるように伝送及び／又は測定するために配置された能動及び／又は受動構成要素及びそれに接続された電気経路を含む回路を含む。様々な実施形態により、１又は２以上の又は全てのチャネルは、１又は２以上の又は全てのチャネルにわたって誘導されたＲＦエネルギの電気的性質（例えば、電流、電圧、電力、及び／又は位相）を測定、計算、及び／又はそのような測定値を記録するように構成されたセンサ、検出器、比較器、抵抗器、及び／又はメモリなど、及び／又はそのいずれかの組合せを含む１又は２以上の測定回路を含む及び／又はそれに接続される。
【００３５】
本発明の様々な実施形態により、電気手術発生器１０は、ＲＦ出力を３つの分解能設定値、すなわち、低電圧、通常又は中電圧、及び高電圧範囲で与えるように更に構成される。様々な実施形態では、接続可能な電気手術ハンドデバイス、例えば、器具２０、及び／又はそれに結合されたコネクタ、例えば、デバイスキー２１上に格納されて位置付けられたデバイススクリプトが、ＲＦ出力又は電圧モードを決定又は設定するのに使用される。
【００３６】
様々な実施形態では、電気手術発生器１０は、全てのＲＦ出力データを内部メモリデバイス、例えば、セキュアデジタル（ＳＤ）メモリカード又は不揮発性メモリカード上に記録する。メモリデバイスは、電気手術発生器１０上でインタフェースポート３５、例えば、ユニバーサルシリアルバス（ＵＳＢ）ポートを通して読み取られるように構成される（図４に最も良く図示）。様々な実施形態では、発生器１０は、データを内部メモリデバイスから接続可能な可搬型ストレージ、例えば、ＵＳＢフラッシュドライブに発生器のインタフェースポートを通してコピーするように構成される。
【００３７】
再び図１及び図４−５を参照するとかつ様々な実施形態により、電気手術発生器１０は、血管が完了手順状態（例えば、完了密封状態）に到達した時に又は誤差条件又は障害条件が発生した時に外科医にアラートするように構成される。電気手術発生器１０は、様々な実施形態では、そのようなアラート又は他のインジケータ又は情報を外科医に外科手順、デバイススクリプト、又はデバイス２０及び／又は発生器１０に関する健全性情報又は作動情報によって命じられたように供給する視覚出力、触覚出力、及び／又は可聴出力を含むことができる。一実施形態では、前部パネルインタフェース３８を通じた発生器１０は、発生器の前部パネルに一体化されたＬＣＤディスプレイ１４を通して外科医にアラートし、様々な実施形態では、特定の可聴アラーム又は情報トーンを発生器の前部パネルに更に一体化されたスピーカ３６を通して供給する。発生器１０は、様々な実施形態では、音量又はディスプレイ明度のようなシステム設定値へのユーザアクセスを可能にするためにナビゲーションのための押しボタンを含むユーザインタフェース又はアクセスをもたらす前部パネルオーバーレイ３９を含むことができる。前部パネルオーバーレイ３９は、システム電源ボタン又は接続部を含むことができる。様々な実施形態では、ファンシステム３７は、熱放散を補助するために設けられる。これに加えて、図４−５に示すように、信号又はｓｉｇは、例えば、情報をシステム及び／又はプリント回路基板にわたって通信するのに使用されるデジタル信号を含む接続部を表し、電力は、例えば、システム及び／又はプリント回路基板に給電するのに使用される電圧レールを含む接続部を表し、ＲＦは、例えば、組織又は血管を密封、溶解、又は切断するのに使用される高電圧高電流ＲＦエネルギを含む接続部を表している。
【００３８】
上記で更に説明したように、様々な実施形態での電気手術発生器１０は、発生器１０を起動する又はオンにするために外科医によってアクセス可能であるユーザアクセス可能電源投入スイッチ又はボタン１８を更に含む。一実施形態では、電源投入スイッチ１８は、発生器の前部パネル上にある。様々な実施形態により、発生器１０が電源投入スイッチ１８の起動によって起動された状態で、発生器１０は、自己検証システム試験の電源投入を開始又は起動する。自己検証システム試験中に、様々な実施形態では、発生器１０は、ＲＦ出力の調整を１又は２以上のＲＦモード及び／又は１又は２以上のＲＦ分解能設定値において検証する。様々な実施形態により、ＲＦ調整モードは、電圧、電流、及び電力調整モードを含み、ＲＦ分解能設定値は、低、通常、及び高電圧設定を含む。
【００３９】
図７を参照すると、自己検証システム試験を実行する電気手術発生器１０内で実施されるハードウエアリソースの一例の概略図が示されている。この図から見ることができるように、１又は２以上のインピーダンス負荷８２を制御システム１００のＲＦ増幅器４０内に実施することができる。様々な実施形態では、電気手術発生器１０の制御システム１００は、発生器１０の内部である及び／又はそれに統合された１又は２以上のインピーダンス負荷８２を含むことができる。インピーダンス負荷８２は、ユーザアクセス可能ではなく、様々な実施形態では、発生器１０の自己検証システム試験を実行するのに使用されるのみであることを理解しなければならない。１又は２以上のインピーダンス負荷８２は、本発明の実施形態により、抵抗性、容量性、誘導性、及びそのいずれかの組合せとすることができる。自己検証システム試験処理は、発生器１０の電圧、電流、電力、及び／又は位相測定値を検証するためにインピーダンス負荷８２を利用する。
【００４０】
一部の実施形態では、インピーダンス負荷８２は、ＲＦ増幅器４０に取り付けられる又は統合される。他の実施形態では、インピーダンス負荷８２の様々な構成は、１又は２以上のリレー又はスイッチ８１を通して選択することができる。一実施形態では、インピーダンス負荷８２は、並列構成にある。別の実施形態では、インピーダンス負荷８２は、異なる負荷構成又は値を他の自己検証設定又は試験に対して提供するために直列、並列、又はその組合せである。
【００４１】
インピーダンス負荷８２は、本発明の実施形態により、接続部のような外部インピーダンス負荷の使用に起因する潜在的な不正確性又は誤差、例えば、ケーブル配線、負荷特性、例えば、相変化、ユーザエラー、及び機器公差又はそれに対する誤差に起因する様々な損失を回避するために内部である。内部インピーダンス負荷８２を含むがこれらに限定されない内部又は統合自己検証システムは、追加の測定機器、例えば、オシロスコープ、又は専用機器、例えば、試験電気手術器具又はキー、又は付属品、例えば、アダプタに対する必要性もそのような機器の使用に関連付けられたあらゆる潜在的な不正確性と共に回避する。同じく、そのような検証を実行するあらゆる設定時間又は時間のスケジューリングも、自動的にスケジュールかつ実行される自己検証システム試験を通して回避される。
【００４２】
表Ｉは、様々なＲＦ調整モード及びＲＦ分解能設定値において実行された例示的自己検証処理をまとめたものである。様々な実施形態により、各処理段階は、特定の調整値及びインピーダンス負荷構成を有することができる。調整値を設定して検証リレー８１を起動した後に、ＲＦ増幅器４０は、ＲＦ出力を発生し、自己検証システム試験によって誘導されるようにＲＦ出力をＲＦ増幅器４０内に実施された内部インピーダンス負荷８２に供給する。従って、制御システム１００は、ＲＦ出力を設定値に調整し、フィードバックシステム６０は、ＲＦ出力の様々な電気的性質を主チャネル６０１、冗長チャネル６０２、及び検証チャネル６０３から測定し、測定値を更に別の処理のためにマイクロコントローラ５０にデジタル給送する。１次マイクロコントローラ５０は、主チャネル６０１及び冗長チャネル６０２の測定データ又は測定読取値を検証チャネル６０３と比較してＲＦエネルギの供給を相応に開始又は停止する。
【００４３】
【表１】
2022500104.tif 000003
【００４４】
様々な実施形態により、自己検証試験に合格するために、全てのフィードバックシステムチャネル６０１、６０２、及び６０３の測定値は、互いに適合する及び／又はある一定の公差内であり、及び／又はターゲットＲＦ設定値に適合しなければならない。より具体的には、主チャネル６０１、冗長チャネル６０２、及び検証チャネル６０３は、３つのチャネルの全ての読取値が同一であるがオフセットしている場合に、偽陽性を防止するために内部負荷インピーダンス構成及びターゲットＲＦ設定値に基づいて公称値のある一定の公差内である必要がある。例えば、全てのフィードバックシステムチャネル６０１、６０２、及び６０３が６０ボルト試験に対してＲＦ出力から２０ボルトを読み取る又は測定した場合に、たとえチャネルが同一電圧測定値を識別したとしても、試験は失敗である又は合格しないことになる。
【００４５】
様々な実施形態により、電気手術発生器１０が製造工程においてトップレベルの較正及び検証に合格した後に工場レベルで、初期検証チャネルオフセットが計算される。初期オフセット値は、冗長チャネル読取値を主チャネル及び検証チャネル読取値と比較し、これらの読取値を検証値に対してオフセットすることによって計算される。その結果、これは、主チャネル、冗長チャネル、検証チャネルの読取値を同一値に設定する。１次マイクロコントローラ５０は、様々な実施形態では、ＡＲＭプロセッサを利用して、これらの初期オフセットを各検証試験又は処理に対して内部的に適用する。従って、例えば、内部インピーダンス負荷、例えば、分流抵抗器が主チャネル６０１、冗長チャネル６０２、及び検証チャネル６０３のいずれかで初期オフセット調節後にドリフトし始めた場合に、発生器１０の自己検証システム試験では、ドリフトが識別され、及び／又は他にエラー又は不合格を示す。
【００４６】
自己検証システム試験不合格は、本発明の実施形態により、発生器のＬＣＤ１４上に表示されることになり、及び／又は発生器１０は、接続された電気手術器具２０にＲＦエネルギが供給されないように機能しないことになる。様々な実施形態では、発生器の電力は、オフ及びオンで循環することができ、自己検証システム試験は、再び開始することになり、様々な実施形態では、特定のシーケンスでの予め決められた数の不合格、例えば、連続２回の検証不合格の後に、電気手術発生器１０は不合格になる又は非機能状態に入ることになり、かつ作動することができ、例えば、接続された電気手術器具２０にＲＦエネルギを供給することができる前に保守を必要とすることになる。
【００４７】
自己検証システムが、発生器又はシステム電源投入又は始動時に作動している状態で、電気手術発生器１０は、接続された電気手術器具２０のあらゆる使用又は電気手術器具２０を通じた組織又は血管へのＲＦエネルギのあらゆる供給前に、外科医に潜在的な発生器問題を通知するように構成される。
【００４８】
従って、発生器の始動又は電源投入作動中に自己検証システムがなければ、従来の発生器は、外科医がＲＦエネルギを組織に印加しようとするまで、仮にあったとしてもＲＦ出力障害を検出しないと考えられる。従って、本発明の実施形態による電気手術発生器１０は、障害を始動時に又は予め決められたスケジュールで検出するように構成され、これは、トラブルシューティング及び手術作動時間を短縮し、他の潜在的な手術上の困難を回避する。
【００４９】
様々な実施形態では、検証チャネル６０３は、より低いドリフト及びより高い分解能（より高い品質及びより低いＰＰＭ／℃）を有する構成要素を有する。従って、構成要素のドリフトを決定することができる低い熱係数は、検証チャネル６０３が経時的な変化及び温度変化により抵抗することを保証する。これに加えて、分流抵抗器のような検証システムチャネル６０１、６０２、及び６０３の構成要素は、ＲＦ出力によって発生された熱のために経時的に値がドリフトする場合がある。このドリフトは、測定値を歪ませる可能性がある。しかし、検証チャネル６０３の構成要素、例えば、インピーダンス負荷は、通常のＲＦ出力作動中に利用されないので、検証チャネル６０３は、ドリフトに対してより抵抗する。
【００５０】
上記で更に説明したように、検証チャネル６０３は、通常のＲＦ出力経路を使用し、検証チャネル６０３は、次に、電気手術発生器１０の内側で自己検証抵抗器及びコンデンサ、例えば、インピーダンス負荷８２へのリレー８１を使用し、通常のＲＦ出力経路の代わりに、接続された電気手術ハンドデバイス２０に向け直される。様々な実施形態では、高電力負荷、例えば、抵抗器、誘導子、又はコンデンサは、ＲＦエネルギの印加を通して導入された温度のような悪影響に耐えるか又は抵抗するのに使用される。一実施形態では、高電力抵抗器が設けられ、他の実施形態では、熱放散を高めるために発生器の空気流れ経路に装着かつ配置されたシャーシが存在する。
【００５１】
一部の実施形態では、検証チャネル６０３のインピーダンス負荷は、フィードバックシステム６０の他のチャネル６０１及び６０２と同じ回路基板上に含められる又は統合され、それによって電気手術発生器１０又はフィードバックシステム６０の全体フットプリントが低減される。他の実施形態では、検証チャネル６０３のインピーダンス負荷は、異なる回路基板上に含められる又は統合され、その結果、インピーダンス負荷によって発生された熱による周辺構成要素の影響が低減される。様々な実施形態では、例えば、インピーダンス負荷は、様々であり、例えば、異なる値構成要素、例えば、抵抗器、又は異なる構成要素、例えば、誘導子がコンデンサの代わりに位相測定に使用され、検証されている調整モード内の追加の変動を高める。これに加えて、インピーダンス負荷は、様々な負荷構成又は値を提供するために直列、並列、又はそのいずれかの組合せとすることができる。
【００５２】
一部の実施形態では、検証チャネル測定回路は、ＲＦ出力回路と直列に位置決めされ、測定の精度が高められ、そのような測定の追跡又は記録が容易にされる。他の実施形態では、検証チャネル測定回路は、ＲＦ出力回路から例えばリレーを通して分離され、従って、作動時間短縮又はＲＦエネルギの供給による熱の効果に起因して検証チャネル測定回路の抵抗を高めることができる。
【００５３】
次に図８を参照すると、本発明の実施形態による自己検証システム作動又は処理の実施形態が示されている。処理２００の描かれた部分は、アルゴリズムが始動点で電気手術発生器１０に電源投入する段階２０２で始まる。発生器１０を始動した後に、段階２０４において、前回の自己検証システム試験が不合格になったか否かに関して決定を提供する。前回の自己検証システム試験の不合格が検出された場合に、処理は、ブロック２０４からブロック２０６に流れ、処理は、ブロック２１０で自己検証システム試験を開始する前に、予め決められた期間（クールダウン期間）又は電源投入閾値、例えば、１分にわたって待機する。前回の自己検証システム試験の不合格が検出されなかった場合に、処理は、ブロック２０４からブロック２０８に進み、電気手術発生器１０が始動された後に予め決められた期間又は電源投入閾値が経過したか否かに関して別の決定を行う。
【００５４】
電源投入閾値に到達したか又は超えた場合に、処理は、自己検証システム試験を開始するためにブロック２０８からブロック２１０に流れる。ブロック２０８において電源投入閾値に到達しなかった場合に、処理は、予め決められた期間（クールダウン期間）又は電源投入閾値が経過することを待つためにブロック２０６に進む。処理は、次に、自己検証システム試験を開始するブロック２１０に進む。
【００５５】
自己検証システム試験がブロック２１０で開始された状態で、電気手術発生器１０は、様々な処理試験を使用して検証される。自己検証システム試験完了後に、処理は、ブロック２１２に引き続き進み、電気手術発生器１０の障害が自己検証処理中に検出されたか否かに関して決定を行う。障害が検出されなかった場合に、処理は、ブロック２１２からブロック２１４に流れ、電気手術発生器１０は、接続された電気手術ハンドデバイス２０にＲＦエネルギを供給するように構成される。この実施形態では、電気手術発生器１０は、電気手術デバイス２０を発生器１０に接続することができること又は発生器１０に接続されたデバイスが手術使用に対して待機していることの表示又は他の表示を提供することができる。他の実施形態では、発生器１０が自己検証システムによって検証される前に及び／又は後に、デバイス認証及び／又は検証も接続された電気手術器具２０が手術使用に対して待機する前に電気手術発生器１０によって実行される。本発明の様々な実施形態により、処理は、検証処理又は試験の１又は２以上又は全てに問題なく合格した場合に電気手術発生器１０には障害がないと決定する。
【００５６】
電気手術発生器１０の障害が検出された場合に、処理は、ブロック２１２からブロック２１６に進み、障害閾値に到達したか否かに関して別の決定を行う。障害閾値を用いて、自己検証システムは、例えば、予め決められた数、例えば、連続２回又は３回以上障害になったか否かを決定する。障害閾値に到達した場合に、処理は、ブロック２１６からブロック２１８に流れ、エラーが発生され、発生器１０は、作動不能になる。この実施形態では、発生器１０のこの作動不能状態で電気手術発生器１０を保守しなければならない。本発明の様々な実施形態により、電気手術発生器１０は、ユーザ又は外科医に可聴インジケータ、触覚インジケータ、及び／又は視覚インジケータを通して発生器のエラーを通知する。
【００５７】
ブロック２１６において障害閾値に到達しない場合に、処理は、次に、電気手術発生器１０を再始動するブロック２０２に戻り、処理を使用して再び発生器１０を検証することを試行することができる。この処理は、電気手術発生器１０の障害が検出されないか又は障害閾値に到達する又は超えるまで続く。
【００５８】
図９を参照すると、自己検証システム試験を実行する処理２１０の実施形態の流れ図が示されている。ＲＦ調整モード及びＲＦ分解能設定値の様々な自己検証処理段階は、典型的には、本発明の電気手術発生器１０のメモリに記録又は格納される。様々な実施形態により、各処理段階は、特定の調整値及びインピーダンス負荷構成を有することができる。例示的自己検証処理は、表Ｉに先に更に示している。自己検証システム試験を開始した後に、処理の描かれた部分は、ブロック３０２で始まり、アルゴリズムにより、ＲＦ調整モード及びＲＦ分解能設定値が設定される。従って、処理を使用して電圧モードを設定し、特定の負荷構成を取得する適切なリレー８１を起動し、かつ調整値を設定する。処理は、次に、ＲＦ出力を発生してＲＦエネルギを検証システム負荷に供給するブロック３０４に進む。様々な実施形態では、ＲＦ増幅器４０は、自己検証システムによって誘導されるようにＲＦ出力を発生してＲＦ出力を増幅器内の内部負荷８２に供給する。
【００５９】
ＲＦ出力が発生された状態で、処理は、ブロック３０６に流れ、フィードバックシステム６０は、ＲＦ出力の電気的性質を測定する。制御システム１００は、本発明の様々な実施形態により、自己検証システムによって誘導されるようにＲＦ出力を設定値に調整し、フィードバックシステム６０は、電圧、電流、電力、及び／又は位相を主チャネル６０１、冗長チャネル６０２、及び検証チャネル６０３から測定する。ＲＦ出力の電気的性質を測定した後に、処理はブロック３０８に流れ、１次マイクロコントローラ５０は、測定されたデータの計算、比較、及び解析を実行する。様々な実施形態では、フィードバックシステム６０は、チャネル６０１、６０２、及び６０３に対して測定されたデータ及び／又はその実数部及び虚数部を１次マイクロコントローラ５０に更に別の処理のために通信する。１次マイクロコントローラ５０は、様々な実施形態では、主チャネル６０１及び冗長チャネル６０２のデータ又は読取値を検証チャネル６０３と比較し、主チャネル及び冗長チャネルの読取値が予め定められた公差又は差、例えば、５％未満である場合に、自己検証処理段階又は試験は合格する又は検証される。そうでない場合に、検証処理段階又は試験は不合格である。本発明の様々な実施形態により、両方の場合に、結果は、電気手術発生器１０及び／又は電気手術器具２０のデバイスキー２１のメモリに記録又は格納される。
【００６０】
ブロック３１０では、電気手術発生器１０の自己検証システム試験が完了したか否かに関して決定を行う。自己検証システム試験が完了した場合に、処理は、ブロック３１０からブロック３１２に流れ、試験完了を記録するタイムスタンプが発生された後に自己検証処理を出る。自己検証システム試験が完了していなかった場合に、処理は、次に、新しいＲＦ調整モード及び新しいＲＦ分解能設定値を設定するブロック３０２に戻る。この処理は、電気手術発生器１０を検証する自己検証処理段階の全てが実行されるまで続く。様々な実施形態では、自己検証システム試験は、電源投入、デバイス接続及び／又はスクリプト、又はデバイス起動に対してのような予め決められた条件下で、及び／又は予め決められたスケジュールに沿って、例えば、各予め決められた条件及び／又は選択された間隔で起動する。様々な実施形態では、個別のボタン又はスイッチなどが、自己検証試験を起動するのに利用される発生器、接続可能なデバイス、及び／又はアダプタ上に設けられる。
【００６１】
電気手術発生器１０は、本発明の実施形態により、１又は２以上の特定の電圧モードで作動するように構成される。様々な実施形態では、電圧モードは、低、中、及び高であり、様々な実施形態では、電圧モードは、フィードバックシステム６０を調節する又は達成する。電圧モードは、様々な実施形態では、フィードバックシステム６０に使用されるＡＤＣ（デジタル／アナログ変換器）上の利得設定値を決定し、様々な実施形態では、高電圧は、最大３００Ｖ利得設定値であり、中電圧は、最大１５０Ｖ利得設定値であり、低電圧は、最大１０Ｖ利得設定値である。異なる利得設定値を異なる電圧モードに対して有することにより、フィードバックシステム６０の測定の分解能が増大する。
【００６２】
本発明の実施形態により、ＲＦ増幅器は、高電圧モードを供給するためにＲＦ増幅器の１次変圧器に直接に接続された単巻変圧器を含むことができる。様々な実施形態では、ＲＦ増幅器４０が高電圧モードで作動している時（単巻変圧器オン）、ＲＦ出力は、３００Ｖ及び４Ａまで到達することができる。他方、単巻変圧器がオフである時に、ＲＦ増幅器４０は、通常電圧モードで作動させることができ、ＲＦ出力は、１５０Ｖ及び８Ａに制限され、低電圧モード又は受動モードでは、１０Ｖ及び１００ｍＡに制限される。
【００６３】
一部の実施形態では、自己検証システム試験では、電圧モードを変更して異なる利得設定値、がフィードバックシステム６０の主チャネル６０１、冗長チャネル６０２、及び検証チャネル６０３  ６０１、６０２、及び６０３にわたって正確であることを試験する又は保証する。他の実施形態では、電圧、電流、及び電力の異なる調整モードも、自己検証システム試験に利用及び試験される様々な電圧モードと共に含められる。
【００６４】
本発明の様々な実施形態により、主チャネル６０１及び冗長チャネル６０２によって行われた測定値及び計算結果は、検証チャネル６０３の測定値及び計算結果と比較される。チャネル６０１、６０２、及び６０３が全て適合し、かつ様々な実施形態での設定公差内である場合に、本発明の実施形態による自己検証システム試験は、電気手術発生器１０が続行されることをクリアする又は可能にし、従って、接続された電気手術デバイス２０へのＲＦ出力を可能にする。主チャネル６０１、冗長チャネル６０２、及び検証チャネル６０３はまた、様々な実施形態では、検証システムが発生器を作動に対してクリアすることを許容するために名目調整値と比較して設定公差内である必要がある。
【００６５】
本発明の実施形態により、低電圧モードは、受動測定に使用されるにすぎず、一定電圧、電流、又は電力を設定しない。様々な実施形態では、低電圧モードはまた、検証チャネル６０３を利用せず、従って、ＲＦ出力は、低電圧で供給される。この実施形態では、電圧及び電流が測定され、抵抗が計算され、測定値及び検査結果の一部又は全ては、予め定められた値と比較され、電気手術発生器１０を更に別の作動に対して更にクリア又は可能にするために予め定められた公差内である。
【００６６】
様々な実施形態では、自己検証システムは、例えば、主チャネル６０１及び冗長チャネル６０２の抵抗器、コンデンサ、又は誘導子のような感知デバイスのドリフトを決定又は点検し、主チャネル６０１及び冗長チャネル６０２は、ＲＦ出力の電気的性質を測定又は計算するのに使用される。これらの構成要素のドリフトが最小であるか又は予め定められた範囲であり、及び／又はユニットを設定値に調整することができる場合に、電気手術発生器１０のＲＦ出力は、自己検証システム試験によって障害なしと決定され、自己検証処理は、更に別の作動的又は手術的使用に対して発生器１０を可能にする。
【００６７】
図１０は、電気手術発生器１０の自己検証システム試験を実行する例示的方法の流れ図を示している。この処理又はシステム試験は、電気手術発生器１０が設定値でＲＦエネルギを出力することができ、フィードバックシステム６０がこのＲＦ出力を全てのチャネル６０１、６０２、及び６０３にわたって正確に測定していることを検証する。本発明の様々な実施形態により、ＲＦ出力が最初に発生され、従って、自己検証システムに供給される。様々な実施形態では、発生器が電源投入された時、例えば、発生器１０の前部パネル上の電源ボタン１８が押された時に、発生器１０は、自己検証システム処理を開始する。それによってＲＦ出力は、接続された電気手術デバイス２０を通してではなく内部負荷に供給される又は誘導されることになる。図１０に示すように、自己検証処理は、リレー１及び２を迂回するか又は電源オフにし、これは、ＲＦ出力又は電気手術エネルギを接続された電気手術デバイス、例えば、溶解デバイス２０に誘導すると考えられる。電気手術デバイスは、自己検証システムが作動する又はその処理を進行するために電気手術発生器１０に接続される必要はないことを理解しなければならない。従って、処理は、自己検証システムによって誘導されるように内部負荷に向けて切り換わる。
【００６８】
図１０に示すように、リレー６−８は、関連の内部負荷構成を必要に応じて提供するために様々なシーケンスでオン／オフにされる。様々な実施形態では、リレー６及び７は、電力及び／又は熱を放散させることを支援するために起動することができる又は同時にかつ並列に使用することができる。他方、リレー８は、様々な実施形態では、位相変動を望むように含めるためにオンにされる又は使用される。より高い電圧ＲＦ出力が必要である時に、例示的実施形態のリレー４及び５は、高電圧変圧器に切り換わるのに使用される。リレー３は、様々な実施形態では、戻り経路を提供する又は自己検証システムの回路を完成するのに使用又は起動される。本発明の様々な実施形態により、自己検証システムは、例えば、抵抗器、コンデンサ、誘導子、及びその様々な組合せを含む複数のリレー及び負荷を含むことができ、従って、他のリレー、負荷、及びその組合せは、読解を容易にするために示されていない。一部の実施形態では、自己検証システムは、自己検証システム試験が不要に起動又は開始されないこと又は意図する通りに起動されることを保証するためにタイマーを含むことができる。従って、電気手術発生器１０が迅速に、例えば、１秒未満でオン及びオフにされる場合に、自己検証システムは起動せず、様々な実施形態では、例えば、抵抗器のような負荷の潜在的な熱損傷を防止する。他の実施形態では、タイマーは、電源投入時間で又はその近くで開始するように構成され、かつ自己検証システムの起動を引き起こす又は開始するために予め定められた閾値に到達する又は閾値を通過する。
【００６９】
以上の説明は、いずれかの当業者が電気手術デバイス又はシステムを製作して使用して本明細書に説明する方法を実行することを可能にするために提供され、本発明者によって考えられている本発明を実行する最良のモードを説明するものである。しかし、様々な修正は、当業者に明らかであるように留まるであろう。これらの修正は、本発明の開示の範囲であるように考えられている。異なる実施形態又はそのような実施形態の態様は、本明細書を通して様々な図に示すと共に説明することができる。しかし、各実施形態及びその態様は、別々に図示又は説明しているが、明示的に特に断らない限り、他の実施形態及びその態様のうちの１又は２以上と組み合わせることができることに注意しなければならない。各組合せを明示的に説明していないのは、単に本明細書の可読性を容易するためである。
【００７０】
本発明をある一定の態様で説明したが、多くの追加の修正及び変更が当業者には明らかであろう。従って、本発明は、本発明の範囲及び精神から逸脱することなくサイズ、形状、及び材料の様々な変化を含む具体的に説明した以外の方法を使用して実施することができることは理解されるものとする。従って、本発明の実施形態は、全ての点で例示的であり、制限ではないと見なさなければならない。
【符号の説明】
【００７１】
２００  自己検証システム作動又は処理
２０２  電気手術発生器に電源投入する段階
２０４  前回の自己検証システム試験が不合格かの決定を提供する段階
２０６  予め決められた期間又は電源投入閾値が経過することを待つブロック
２１０  自己検証システム試験を開始するブロック
【図１】
2022500104.tif 000004
【図２】
2022500104.tif 000005
【図３】
2022500104.tif 000006
【図４】
2022500104.tif 000007
【図５】
2022500104.tif 000008
【図６】
2022500104.tif 000009
【図７】
2022500104.tif 000010
【図８】
2022500104.tif 000011
【図９】
2022500104.tif 000012
【図１０】
2022500104.tif 000013
【国際調査報告】
2022500104.tif 000014
2022500104.tif 000015
2022500104.tif 000016